(57)【特許請求の範囲】
【請求項１】
舗装路面(10)の開口部の下方に埋設された地下埋設物(1)を撤去する方法であり、地下埋設物(1)の周囲で前記開口部の外側に位置する舗装路面(10)に形成した円形切断溝(14)の下端と地下埋設物(1)の間を破断面(L)として、前記開口部の上方に配置した反力フレーム(2)から該フレーム(2)に引き寄せるように地下埋設物(1)を引き上げると共に、前記引き上げ力を前記反力フレーム(2)の脚(21)を介して円形切断溝(14)の外側で舗装路面(10)に押圧力として伝えることにより、前記破断面(L)を剪断破壊させ、地下埋設物(1)及びその周囲の舗装構造物(11)を一体的に引き上げることを特徴とする地下埋設物の撤去方法。
【請求項２】
請求項１に記載の撤去方法を実施するために使用する装置であり、前記円形切断溝(14)の外側で舗装路面(10)の上に設置される脚(21)を介して水平に支持されると共に地下埋設物(1)の上方に配置される反力フレーム(2)と、地下埋設物(1)に係合される係合具(41)と、前記反力フレーム(2)に固定された状態で前記係合具(41)を引き上げるジャッキ(3)とから成り、前記ジャッキ(3)による地下埋設物(1)の引き上げ力を前記脚(21)により舗装路面(10)に伝えるように構成したことを特徴とする地下埋設物の撤去装置。
【発明の詳細な説明】
【技術分野】
【０００１】
本発明は、地下埋設物を迅速に短時間で撤去する方法と装置に関する。
【背景技術】
【０００２】
道路下等に埋設され、年月を経たマンホールや、検査用埋設筐体などは、通過車両の荷重や地下水の影響、また寒冷地においては凍上現象などで傷んでくる。さらには、舗装路面に発生した段差を解消するため、これらの地下埋設物を撤去交換する場合がある。
【０００３】
従来は、舗装路面をカッターで四角形に切断して舗装構造物を撤去し、地下埋設物の周囲を掘削排土し、土留を施して地下埋設物を露出させて撤去し、新たなものと交換していた。この従来の施工法では、舗装路面の切断、周囲の地盤の掘削、さらには土留を必要とするため、地下埋設物の撤去交換工事が完了するまでに２〜３日間を必要とした。
【発明の開示】
【発明が解決しようとする課題】
【０００４】
従来の地下埋設物の撤去交換工法では、舗装路面の切断、土砂の排土、さらには地下埋設物の撤去と、通行を制限する期間が比較的長く、円滑な交通を妨げていた。
【０００５】
そこで、本発明は、この欠点を克服し、短時間で地下埋設物を撤去交換し、撤去作業のための道路の占有期間をできるだけ短時間とすることを目的とするものである。
【課題を解決するための手段】
【０００６】
前記目的を達成するため、本発明方法が手段として構成したところは、舗装路面(10)の開口部の下方に埋設された地下埋設物(1)を撤去する方法であり、地下埋設物(1)の周囲で前記開口部の外側に位置する舗装路面(10)に形成した円形切断溝(14)の下端と地下埋設物(1)の間を破断面(L)として、前記開口部の上方に配置した反力フレーム(2)から該フレーム(2)に引き寄せるように地下埋設物(1)を引き上げると共に、前記引き上げ力を前記反力フレーム(2)の脚(21)を介して円形切断溝(14)の外側で舗装路面(10)に押圧力として伝えることにより、前記破断面(L)を剪断破壊させ、地下埋設物(1)及びその周囲の舗装構造物(11)を一体的に引き上げる点にある。
【０００８】
そして、本発明方法を実施するために使用する本発明装置が手段として構成したところは、前記円形切断溝(14)の外側で舗装路面(10)の上に設置される脚(21)を介して水平に支持されると共に地下埋設物(1)の上方に配置される反力フレーム(2)と、地下埋設物(1)に係合される係合具(41)と、前記反力フレーム(2)に固定された状態で前記係合具(41)を引き上げるジャッキ(3)とから成り、前記ジャッキ(3)による地下埋設物(1)の引き上げ力を前記脚(21)により舗装路面(10)に伝えるように構成した点にある。
【０００９】
前記係合具は油圧シリンダを備え、該油圧シリンダの伸縮により前記地下埋設物に係合するように構成するのが好ましい。
【発明の効果】
【００１０】
本発明方法によれば、地下埋設物１の周囲で舗装路面１０に形成した円形切断溝１４の下端と地下埋設物１の間を破断面Ｌとして、地下埋設物１を引き上げることにより前記破断面Ｌを剪断破壊させ、地下埋設物１及びその周囲の舗装構造物１１を一体的に引き上げる構成であるから、施工がスピードアップされ、地下埋設物の撤去、交換作業が短時間で済み、道路を占有して交通を制限する時間を短縮できる。
【００１１】
この際、本発明方法によれば、地下埋設物１の引き上げにより生じる引き上げ力を円形切断溝１４の外側で舗装路面１０に押圧力として伝えるので、破断面の剪断破壊をいっそう良好に行うことができる。
【００１２】
そして、本発明装置によれば、地下埋設物１に係合した係合具４１を、地下埋設物１の上方に配置した反力フレーム２のジャッキ３で引き上げる構成とされ、しかも、反力フレーム２を水平に支持するように前記円形切断溝１４の外側で舗装路面１０の上に設置される脚２１を備え、ジャッキ３による地下埋設物１の引き上げ力を脚２１により舗装路面１０に伝えるように構成しているので、破断面Ｌを好適に剪断破壊させることが可能となり、地下埋設物１と周囲の舗装構造物１１の一体的な引き上げを可能とする。
【００１３】
この際、係合具４１を油圧シリンダの伸縮により地下埋設物１に係合するように構成しておけば、油圧シリンダの押圧力で地下埋設物１の引き上げに必要な係合力を得ることができる。
【発明を実施するための最良の形態】
【００１４】
図１の実施例に基づいて撤去方法を説明する。この実施例は、ガス管などの鋼管Ｐに設けたアースＥの検査用筐体の撤去交換例である。筐体は、地中に設置したドーナツ型の基台Ｂに載せてあり、舗装路面１０の開口部の下方に埋設されている。従って、以下に説明する実施例では、撤去すべき地下埋設物１が前記筐体とされるが、本発明の地下埋設物１がこれに限定されないことは勿論である。図１は周知の舗装道路構造を示しており、舗装構造物１１の表面が舗装路面１０とされている。
【００１５】
本実施例では、まず、筐体の中心位置を求め、円形カッター（図示しない）を地下埋設物１の中心位置に合わせて地下埋設物１を囲み込むように舗装路面１０を切断することにより、該舗装路面１０に円形の切断溝１４を形成する。
【００１６】
円形切断溝１４で囲まれた舗装路面１０の上方に地下埋設物１を撤去するための反力フレーム２をセットする。反力フレーム２の脚２１は舗装路面１０の切断溝１４の外側に設置する。これにより反力フレーム２は、図示のように、水平に支持される。反力フレーム２の脚２１は地下埋設物１を引き上げる力Ｆ１を路面に伝え、舗装路面１０に押圧力Ｆ２を与えるが、舗装路面１０の局部に過大な圧力がかからないように、接地面積を考慮し、脚２１の断面積、本数を定める。反力フレーム２の中央部にはセンターホールジャッキ３を設置し固定する。
【００１７】
先端に地下埋設物１に係合する係合具４１を有するロッド４をセンターホールジャッキ３に挿入する。該ロッド４は、舗装路面１０の開口部から地下埋設物１に向けて挿入される。図例の場合、ロッド４は地下埋設物１の埋設深さに対応できるように接続して延長できるようにカップラー４３が設けてある。
【００１８】
ロッド４の先端には、係合具４１が設けられ、図例の場合、地下埋設物１の内壁に突っ張って係合するように構成されている。この係合具４１は、図２に示すようにロッド４の先端に回転可能に取り付けてあり、係合具４１の端部は内壁の傾斜にあうように下側が長辺であり、上辺が短辺の断面台形をしている。係合面４２には、ゴムなどの変形可能な材料が貼り付けてあり、係合面４２が内壁に密着するようになっている。係合具４１を回転させてロッド４と平行にし、地下埋設物１に挿入し、係合具４１を９０度回転させ、ロッド４に対して直交状態とする。
【００１９】
ロッド４に対して直交した係合具４１を少し上げ、係合具４１の両端部が地下埋設物１の内壁に当たるようにし、ロッド４を上下させてバランスよく地下埋設物１を引き上げられるように接触位置を調整する。
【００２０】
地下埋設物１に係合具４１の係合面４２が当たっていることを確認したならば、センターホールジャッキ３を作動させ、地下埋設物１を引き上げる。センターホールジャッキの引き上げ力はロッド４と係合具４１を介して、地下埋設物１の内壁に伝えられ、地下埋設物１は引き上げられる。舗装路面１０に円形に形成した切断溝１４の下端と地下埋設物１の下端を結ぶ線を破断面Ｌとして、周囲の舗装構造物１１が該破断面Ｌを剪断破壊され、舗装路面１０を含む舗装構造物１１と地下埋設物１が一体となって引き上げられ、上方に撤去される。
【００２１】
そして、さらに必要があれば、土留を施し、さらに下方を掘削して鋼管Ｐを露出させ、アースＥの確認などを行う。土留は鋼製ケーシング、コルゲートセルなどを土中に圧入しておこなう。
【００２２】
係合具４１のその他の実施例としては、傘を逆にしたような放射状のアームをロッドの先端に開閉自在に設けたものや、油圧シリンダによって左右に伸縮するものにより構成することができる。また、油圧シリンダを十字状に配列し、ロッドをユニバールジョイント等で連結し、挿入したロッドが地下埋設物の中心に一致しなくても、センターホールジャッキの引き上げ力がバランスよく地下埋設物に伝達されるように構成しても良い。油圧シリンダを利用した係合具は、図２の機械的な係合具と異なり、地下埋設物の内壁が垂直であっても、油圧シリンダの押圧力で地下埋設物の引き上げに必要な摩擦力を得ることができる。
【図面の簡単な説明】
【００２３】
【図１】地下埋設物の撤去方法と撤去装置を示す断面図である。
【図２】係合具の１実施例を示す説明図である。
【符号の説明】
【００２４】
１ 地下埋設物
１０ 舗装路面
１１  舗装構造物
２ 反力フレーム
２１ 脚
３ センターホールジャッキ
４ ロッド
４１ 係合具
４３ カップラー
Ｂ 基台
Ｅ アース
Ｐ 鋼管
【図１】
0004369443.tif 000002
【図２】
0004369443.tif 000003